(57)【要約】  積み木はベースユニット（１０）と２つのベースユニット（１０）を接続する接続部品（２０）を含み、ベースユニット（１０）は六面体であり、かつその各面にそれぞれ４つの接続孔（１１）が均等に設置され、各面にさらにスロット（１２）が設けられ、対向する２つの面の接続孔（１１）がその他の４つの面のスロット（１２）を介して一対一に連通し、接続部品（２０）が１つの面の接続孔（１１）から挿入され、かつスロット（１２）を通って別の面の接続孔（１１）から突出して別のベースユニット（１０）と接続する。この構造により、２つベースユニット（１０）の接続可能性を広げると同時に、ベースユニット（１０）において少なくとも１つの接続孔が別のベースユニット（１０）と接続することを保証し、児童の多角度から問題を考える思考能力を培い、及び三次元空間の想像力を鍛えるに有利である。
2016540620.tif 000002
【特許請求の範囲】
【請求項１】
積み木であって、
六面体のベースユニットと２つの前記ベースユニットを接続する接続部品とを含み、
前記ベースユニットの各面にそれぞれ４つの接続孔が均等に設置され、前記ベースユニットの各面にさらにスロットが設けられ、
対向する２つの面の前記接続孔がその他の４つの面の前記スロットを介して一対一に連通し、
前記接続部品は、前記ベースユニットの１つの面の接続孔から挿入され、かつ前記スロットを通って対向する別の面の接続孔から突出して、別のベースユニットに接続されることを特徴とする、積み木。
【請求項２】
前記ベースユニットは正方体であり、前記正方体の各面の各側辺の内側に対応して１つの前記接続孔が設けられ、前記スロットが前記ベースユニットの各面の中心から当該面の各接続孔へ延伸して設置されることを特徴とする、請求項１に記載の積み木。
【請求項３】
前記接続部品は薄い長方体であり、前記接続孔の横断面は長辺がその対応する側辺と平行する長方形であり、前記接続孔の前記スロットに近い内側壁と前記スロットが繋がっており、前記各スロットの底面によって小正方体が形成されることを特徴とする、請求項２に記載の積み木。
【請求項４】
前記接続部品の底面にはその長さ方向に沿って延伸する第一線形溝が設けられ、前記接続部品の底面の両端には前記第一線形溝に垂直な第二線形溝が設けられ、前記小正方体の各面には前記第一線形溝及び第二線形溝とマッチする十字形隆線が設けられていることを特徴とする、請求項３に記載の積み木。
【請求項５】
前記小正方体の各面にそれぞれピン孔が設けられ、前記接続部品の両端にそれぞれ位置決め孔が設けられ、
前記接続部品は、２つの位置決めピンが前記位置決め孔及び前記ピン孔を貫通することにより前記ベースユニットに固定接続されることを特徴とする、請求項３に記載の積み木。
【請求項６】
前記接続部品の底面にはその長さ方向に沿って延伸する隆線が設けられ、前記小正方体の各面には前記隆線とマッチする線形溝が設けられていることを特徴とする、請求項３に記載の積み木。
【請求項７】
前記隆線に凹部が形成され、前記線形溝には前記凹部とマッチして前記接続部品の位置を決める突起が設けられていることを特徴とする、請求項６に記載の積み木。
【請求項８】
前記接続部品の両端にそれぞれ積み木を分解し易くするための貫通孔が設けられていることを特徴とする、請求項４〜６のいずれか一項に前記の積み木。
【請求項９】
前記接続部品の長さは前記ベースユニットの前記正方体の辺長の二倍であることを特徴とする、請求項２〜７のいずれか一項に記載の積み木。
【請求項１０】
積み木ユニットであって、
不完全な正方体ユニットと接続部品とを含み、
前記不完全な正方体ユニットは切削部を有し、
前記切削部は、正方体ユニットの一つの側面の角の両側辺からその対向する側面の対応する角の側辺へ延伸して切削することで得られ、
前記不完全な正方体ユニットにおいて、前記切削部が設けられた対向する２つの面にそれぞれ２つの接続孔が設けられ、前記切削部が設けられた隣接する２つの面にそれぞれ１つの接続孔が設けられ、残りの２つの隣接面にそれぞれ４つの接続孔が設けられ、前記対向する２つの面の接続孔がそれぞれ連通し、前記接続部品の一端が連通する２つの接続孔の中に挿入され、他端が不完全な正方体ユニットの側面に露出する、積み木ユニット。
【請求項１１】
前記切削部は直角三角柱体であり、前記直角三角柱体は前記不完全な正方体ユニットの互いに垂直な２つの側面の一部を２つの矩形面とし、
前記直角三角柱体の端面の三角形斜辺は、前記不完全な正方体ユニットの一側辺の端点を除く任意の一つの点とその隣接する側辺の端点を除く任意の一つの点との接続線であることを特徴とする、請求項１０に記載の積み木ユニット。
【請求項１２】
前記直角三角柱体の端面の三角形斜辺は、前記不完全な正方体ユニットの一側辺の中点とその隣接する側辺の中点との接続線であることを特徴とする、請求項１１に記載の積み木ユニット。
【請求項１３】
前記切削部は切削面を含み、前記切削面は弧面であり、前記弧面の縁辺の弧形は前記不完全な正方体ユニットにおける一側辺の端点を除く任意の点及びその隣接する側辺の端点を除く任意の点によって形成される曲線であることを特徴とする、請求項１０に記載の積み木ユニット。
【請求項１４】
前記弧面の縁辺の弧形は、前記不完全な正方体ユニットの一側辺の中点及びその隣接する側辺の中点によって形成される曲線であることを特徴とする、請求項１３に記載の組み合わせる積み木ユニット。
【請求項１５】
前記接続孔の横断面はいずれも長辺がその対応する側辺と平行する長方形であることを特徴とする、請求項１０に記載の積み木ユニット。
【請求項１６】
４つの接続孔が設けられている２つの側面はいずれもその中部にスロットが形成され、前記側面の接続孔がそれぞれ前記スロットの側面に沿って設けられ、かつ、前記接続孔の前記スロットに近い内側壁と前記スロットとが連通して十字形のスロットを形成することを特徴とする、請求項１０に記載の積み木ユニット。
【請求項１７】
積み木ユニットであって、
不完全な正方体ユニットと接続部品とを含み、
前記不完全な正方体ユニットに角欠け構造が設けられ、前記角欠け構造は正方体の３つの隣接する側面を切削して形成され、かつ前記３つの隣接する側面の共同頂点を含み、前記不完全な正方体ユニットのその他の３つの側面の何れにも４つの第一接続孔が均等に配置され、前記角欠け構造を有する３つの側面にそれぞれ少なくとも２つの第二接続孔が設けられ、前記第二接続孔とその対向する側面の前記第一接続孔とがそれぞれ連通し、前記接続部品の一端が連通している前記第一接続孔と前記第二接続孔の中に挿入され、他端が前記不完全な正方体ユニットの側面に露出することを特徴とする、積み木ユニット。
【請求項１８】
前記角欠け構造は、前記３つの隣接する側面のうちの２つ毎に対応する３つの頂点によって形成される弧面を含むことを特徴とする、請求項１７に記載の積み木ユニット。
【請求項１９】
前記弧面が前記不完全な正方体ユニットの一部の球形面に内接することを特徴とする、請求項１８に記載の積み木ユニット。
【請求項２０】
前記第一接続孔と前記第二接続孔の横断面はいずれも長辺がその対応する側辺と平行する長方形であることを特徴とする、請求項１８に記載の積み木ユニット。
【請求項２１】
前記不完全な正方体ユニットの各側面の中部にスロットが形成され、前記第一接続孔及び前記第二接続孔がそれぞれ前記スロットの側面に沿って設けられ、かつ前記第一接続孔の前記スロットに近い内側壁と前記スロットが連通して十字形スロットを形成し、前記第二接続孔の前記スロットに近い内側壁と前記スロットが連通してＬ形スロットを形成し、各スロットの底面によって小正方体が形成されることを特徴とする、請求項２０に記載の積み木ユニット。
【請求項２２】
各スロットの底面に十字形隆線が形成され、これに応じて前記接続部品には前記十字形隆線とマッチする十字形スロットが形成されていることを特徴とする、請求項２１に記載の積み木ユニット。
【請求項２３】
前記角欠け構造は、３つの隣接する側面のうち２つ毎に対応する３つの頂点によって形成される三角形斜面を含むことを特徴とする、請求項１７に記載の積み木ユニット。
【請求項２４】
前記不完全な正方体ユニットの角欠け構造が形成されていないその他の３つの面にそれぞれスロットが設けられ、前記第一接続孔がそれぞれ前記スロットの側面にそって均等に配置され、かつ、前記第一接続孔の前記スロットに近い内側壁と前記スロットが連通して十字形スロットを形成することを特徴とする、請求項２３に記載の積み木ユニット。
【請求項２５】
各スロットの底面に十字形隆線が設けられ、これに応じて前記接続部品には前記十字形隆線とマッチする十字形スロットが設けられていることを特徴とする、請求項２４に記載の積み木ユニット。
【発明の詳細な説明】
【技術分野】
【０００１】
本発明は玩具分野に関し、具体的には積み木及び積み木を組み立てるための積み木ユニットに関する。
【背景技術】
【０００２】
幼児期は人間の脳の成長が最も速い時期であり、また、手を動かす能力が乳幼児の脳の発育を促進する効果がある。現在、マーケットには既に一部の児童知育玩具、例えばパズル、ルービックキューブ及び積み木などが提供されており、特に積み木は自由に組み立てたり、分解したりできるため、子供に広く愛されている。
【０００３】
公布番号ＣＮ１０３５０５８８７Ａの中国発明特許が開示した原子積み木（ａｔｏｍｉｃ  ｂｕｉｌｄｉｎｇ  ｂｌｏｃｋｓ）は、積み木の幾つかの面に幾つかの接続口があって、接続口のタイプによって積み木を２種類の素子に分類し、一種類が凸型接続口のみを有する積み木素子であり、もう一種類が凹型接続口のみを有する積み木素子であり、２種類の積み木素子の凹凸接続口を接合させることにより積み木の空間的な三次元組み合わせを実現し、任意の形状と構造を作り出すことができる。しかし、２種類の積み木があるため、組み立てる時に積み木を見分ける必要があり、多くの乳幼児はこの２種類の積み木を見分けることができないため、三次元組み合わせもできない。
【０００４】
登録公告番号ＣＮ２０３２０８６９８Ｕの中国発明特許が開示した積み木は、ベースと接続部品を含み、前記ベースが六面体であり、かつ前記ベースの天井面に固定孔が設けられ、前記ベースの底面、左右側面及び前後側面の何れにも接続部品に対応する接続孔が設けられている。このような構造の積み木は、積み木の分類問題を解決したものの、積み木が瓶缶の組み立てに用いられるため、組み立てる時に、積み木ベースにおいて瓶缶を接続するための固定孔を予め確保する必要がある。従って、ベースを各側面方向へ任意に延伸させることができず、ベースの延伸に一定の制限がある。また、ベースの左右、前後側面及び底面の何れにも接続孔が一つのみ設けられているため、５つの面を同時に接続した時に衝突し易い。また、比較的に短い接続部品を用いた場合、接続が不安定で脱離現象が起こり易く、また、接続孔への捻じ込みが深すぎると、その他の接続孔が接続できなくなる。
【発明の概要】
【発明が解決しようとする課題】
【０００５】
本発明が提供する積み木及び積み木を組み立てるための積み木ユニットは、従来の積み木の延伸組立てに一定の制限があって、ベースの接続が不安定で、接続が難しく、及び接続部品が衝突し易いなどの問題を解決するものである。
【課題を解決するための手段】
【０００６】
本発明は以下の技術方案を用いるものである。
【０００７】
技術方案１：積み木は六面体のベースユニットと２つの前記ベースユニットを接続する接続部品とを含み、ベースユニットの各面にそれぞれ４つの接続孔が均等に設置され、ベースユニットの各面にさらにスロットが設けられ、対向する２つの面の接続孔がその他の４つの面のスロットを介して一対一に連通し、接続部品はベースユニットの１つの面の接続孔から挿入され、かつスロットを通って対向する別の面の接続孔から突出して、別のベースユニットに接続される。
【０００８】
好ましくは、上記ベースユニットは正方体であり、正方体の各面の各側辺の内側に対応して１つの上記接続孔が設けられ、上記スロットがベースユニットの各面の中心から当該面の各接続孔へ延伸して設置される。
【０００９】
さらに、上記接続部品は薄い長方体であり、接続孔の横断面は長辺がその対応する側辺と平行する長方形であり、該接続孔の上記スロットに近い内側壁とスロットが繋がっており、上記各スロットの底面によって小正方体が形成される。
【００１０】
上記積み木の接続部品とベースユニットとの接続方法の好ましい実施方案一：接続部品の底面にはその長さ方向に沿って延伸する第一線形溝が設けられ、接続部品の底面の両端には第一線形溝に垂直な第二線形溝が設けられ、小正方体の各面には第一線形溝及び第二線形溝とマッチする十字形隆線が設けられている。
【００１１】
上記積み木の接続部品とベースユニットとの接続方法の好ましい実施方案二：小正方体の各面にそれぞれピン孔が設けられ、接続部品の両端にそれぞれ位置決め孔が設けられ、接続部品は２つの位置決めピンが位置決め孔及びピン孔を貫通することによりベースユニットに固定接続される。
【００１２】
上記積み木の接続部品とベースユニットとの接続方法の好ましい実施方案三：接続部品の底面にはその長さ方向に沿って延伸する隆線が設けられ、小正方体の各面には隆線とマッチする線形溝が設けられ、上記隆線にさらに凹部が形成され、線形溝には該凹部とマッチして接続部品の位置を決める突起が設けられている。
【００１３】
さらに、上記接続部品の両端にそれぞれ積み木を分解し易くするための貫通孔が設けられ、積み木を簡単かつ素早く解体することができる。上記接続部品の長さはベースユニットの正方体の辺長の二倍である。
【００１４】
技術方案２：積み木を組み立てるための積み木ユニットは不完全な正方体ユニットと接続部品とを含み、該不完全な正方体ユニットは切削部を有し、該切削部は正方体ユニットの一つの側面の角の両側辺からその対向する側面の対応する角の側辺へ延伸して切削することで得られ、上記不完全な正方体ユニットにおいて、切削部が設けられた対向する２つの面にそれぞれ２つの接続孔が設けられ、切削部が設けられた隣接する２つの面にそれぞれ１つの接続孔が設けられ、残りの２つの隣接面にそれぞれ４つの接続孔が設けられ、対向する２つの面の接続孔がそれぞれ連通し、上記接続部品の一端が連通する２つの接続孔の中に挿入され、他端が不完全な正方体ユニットの側面に露出する。
【００１５】
好ましい実施方案として、上記切削部は直角三角柱体であり、該直角三角柱体は不完全な正方体ユニットの互いに垂直な２つの側面の一部を２つの矩形面とし、該直角三角柱体の端面の三角形斜辺は不完全な正方体ユニットの一側辺の端点を除く任意の１つの点とその隣接する側辺の端点を除く任意の一つの点との接続線である。
【００１６】
さらに、上記直角三角柱体の端面の三角形斜辺は、不完全な正方体ユニットの一側辺の中点とその隣接する側辺の中点との接続線である。
【００１７】
別の好ましい実施方案として、上記切削部は切削面を含み、該切削面は弧面であり、該弧面の縁辺の弧形は不完全な正方体ユニットにおける一側辺の端点を除く任意の点及びその隣接する側辺の端点を除く任意の点によって形成される曲線である。
【００１８】
さらに、上記弧面の縁辺の弧形は、不完全な正方体ユニットの一側辺の中点及びその隣接する側辺の中点によって形成される曲線である。
【００１９】
上記接続孔の横断面はいずれも長辺がその対応する側辺と平行する長方形である。
【００２０】
上記４つの接続孔が設けられている２つの側面は、いずれもその中部にスロットが形成され、該側面の接続孔がそれぞれスロットの側面に沿って設けられ、かつ、接続孔のスロットに近い内側壁とスロットとが繋がって十字形スロットを形成する。
【００２１】
技術方案３：積み木を組み立てるための積み木ユニットは不完全な正方体ユニットと接続部品とを含み、該不完全な正方体ユニットに角欠け構造が設けられ、該角欠け構造は正方体の３つの隣接する側面を切削して形成され、かつ該３つの隣接する側面の共同頂点を含み、上記不完全な正方体ユニットのその他の３つの側面の何れにも４つの第一接続孔が均等に配置され、かつ角欠け構造を有する３つの側面にそれぞれ少なくとも２つの第二接続孔が設けられ、上記第二接続孔とその対向する側面の上記第一接続孔とがそれぞれ連通し、上記接続部品の一端が連通している第一接続孔と第二接続孔の中に挿入され、他端が不完全な正方体ユニットの側面に露出する。
【００２２】
好ましい実施方式として、上記角欠け構造は、３つの隣接する側面のうちの２つ毎に対応する３つの頂点によって形成される弧面を含み、該弧面が該不完全な正方体ユニットの一部の球形面に内接する。
【００２３】
上記第一接続孔と第二接続孔の横断面はいずれも長辺がその対応する側辺と平行する長方形である。
【００２４】
上記不完全な正方体ユニットの各側面の中部にスロットが形成され、上記第一接続孔及び第二接続孔がそれぞれ上記スロットの側面に沿って設けられ、かつ第一接続孔のスロットに近い内側壁とスロットが繋がって十字形スロットを形成し、第二接続孔のスロットに近い内側壁とスロットが繋がってＬ形スロットを形成し、各スロットの底面によって小正方体が形成される。
【００２５】
別の好ましい実施方式として、上記角欠け構造は、３つの隣接する側面のうち２つ毎に対応する３つの頂点によって形成される三角形斜面を含む。
【００２６】
上記不完全な正方体ユニットにおいて角欠け構造が形成されていないその他の３つの面にそれぞれスロットが設けられ、第一接続孔がそれぞれ上記スロットの側面にそって均等に配置され、かつ、第一接続孔のスロットに近い内側壁とスロットが繋がって十字形スロットを形成する
以上二つの実施例において、各スロットの底面に十字形隆線が設けられ、上記接続部品に十字形隆線とマッチする十字形スロットが設けられている。
【００２７】
［発明の効果］
（有利な効果）
１．上記構造の積み木のベースユニットの各面に４つの接続孔が均等に設けられ、かつ対向する２つの面の接続孔がスロットを介して一対一に連通し、接続部品がベースユニットの１つの面の任意の接続孔から別のベースユニットの対応する接続孔に挿入されて接続することができるため、２つのベースユニットを接続する選択可能性が広げるとともに、１つのベースユニットにおいて少なくとも１つの接続孔が別のベースユニットと接続することが保証され、かつ各接続部品が接続孔に挿入される時に衝突することなく、児童の多角度から問題を考える思考力を培い、及び三次元空間の想像能力を鍛えるに有利である。
【００２８】
２．正方体構造を用いたベースユニットは、各面の形状が同一であり、分類する必要がなく、ベースユニットを別のベースユニットの６つの側面方向にそって延伸させて、さまざまな積み木を組み立てることが可能であり、児童の好奇心を満たすとともに、組立て時間を大幅に節約できる。
【００２９】
３．ベースユニットの各面にスロットが設けられ、スロットによって対向する２つの接続孔を連通させるチャンネルが形成され、かつ６つの面のスロットの底面が小正方体を形成し、接続部品を支持する効果を有するほか、接続部品の挿入をガイドする効果も有し、接続部品とベースユニットの接続がし易くなる。
【００３０】
４．上記構造の積み木の接続部品に隆線及び凹部が形成され、隆線は接続部品の強度を高めるだけではなく、接続ガイドの効果もあり、さらに、凹部とベースユニット内の突起を合わせて接続させることにより、接続部品とベースユニットの接続を堅固にして、互いに対しスライドする現象が起こらない。
【００３１】
５．上記構造の積み木は、多様な積み木組み合わせが得られるため、かつ積み木の側面に弧度又は複数の角を有する構造を設けることができるため、児童に異なる体験をさせることが可能であり、児童の好奇心を一層満たし、児童の多角度から問題を考える思考能力を培い、及び三次元空間の想像力を鍛えるに有利である。
【図面の簡単な説明】
【００３２】
【図１】本発明の好ましい実施の形態の構造概略図である。
【図２】本発明の好ましい実施の形態の分解概略図である。
【図３】本発明の実施例一の組立て構造概略図である。
【図４】本発明の実施例二の分解概略図である。
【図５】本発明の実施例三の構造概略図である。
【図６】本発明の実施例三の組み立て構造概略図である。
【図７】本発明の実施例三と正方体ユニットの組み立て構造概略図である。
【図８】本発明の実施例四の構造概略図である。
【図９】本発明の実施例四の組み立て構造概略図である。
【図１０】本発明の実施例四と正方体ユニットの組み立て構造概略図である。
【図１１】本発明の実施例五の構造概略図である。
【図１２】本発明の実施例五の背面図である。
【図１３】本発明の実施例五の組み立て構造概略図である。
【図１４】本発明の実施例五と正方体ユニットの組み立て構造概略図である。
【図１５】本発明の実施例六の構造概略図である。
【図１６】本発明の実施例六の背面図である。
【図１７】本発明の実施例六の組み立て構造概略図である。
【図１８】本発明の実施例六と正方体ユニットの組み立て構造概略図である。
【発明を実施するための形態】
【００３３】
図１と図２が示すように、積み木はベースユニット１０と、２つの前記ベースユニット１０を接続する接続部品２０とを含み、ベースユニット１０は六面体であり、本実施例では正方体構造であり、正方体の各面の各側辺の内側に対応して接続孔１１が形成され、接続孔１１の横断面が長方形であり、その長辺が対応する側辺と平行である。ベースユニット１０の各面にさらにスロット１２が形成され、かつ、対向する２つの面における接続孔１１がその他の４つの面におけるスロット１２を介して一対一に連通する。上記スロット１２は、ベースユニット１０の各面の中心から当該面の各接続孔１１へ延伸して形成され、接続孔１１のスロット１２に近い内側壁とスロット１２とが繋がっており、各スロット１２の底面によって小正方体１３が形成される。スロット１２の底面は、接続部品２０を支持する機能を有するだけではなく、接続部品２０の挿入をガイドする機能も有し、接続部品２０とベースユニット１０を接続し易くなる。
【００３４】
図２が示すように、接続部品２０は薄い長方体であり、接続部品２０の底面にはその長さ方向に沿って延伸する第一線形溝２１が形成され、接続部品２０の底面の両端には第一線形溝２１に垂直な第二線形溝２２が形成され、小正方体１３の各面には第一線形溝２１及び第二線形溝２２にマッチする十字形隆線２３が形成されている。接続部品はベースユニット１０の一つの面における任意の接続孔１１から別のベースユニット１０の対応する接続孔１１に挿入されて接続し、かつスロット１２を介して対向する別の面における接続孔１１から突出して別のベースユニット１０と接続する。これにより、２つのベースユニット１０の接続の選択可能性を広げるだけではなく、一つのベースユニット１０において少なくとも１つの接続孔１１が別のベースユニット１０と接続ことを保証できる。
【００３５】
［本発明の実施の形態］
（実施例一）
図３が示すように、本実施例は上記好ましい実施の形態と基本的に同じであり、その異なる点は、接続部品２０とベースユニット１０との接続方法にある。本実施例の小正方体１３の各面にピン孔１３０が設けられ、接続部品２０の両端にそれぞれ位置決め孔２００が形成され、接続部品２０は２つの位置決めピン２０１が位置決め孔２００及びピン孔１３０を貫通することによりベースユニット１０に固定接続される。この実施例では位置決めピン２００、位置決め孔３００及びピン孔１３０を用いた位置決め方法により、主にベースユニット１０間の接続をより堅固にするものである。
【００３６】
（実施例二）
図４が示すように、本実施例が上記好ましい実施の形態、実施例一との異なる点は、接続部品２０とベースユニット１０との接続方法にある。本実施例の接続部品２０の底面（又は天井面）にはその長さ方向に沿って延伸する隆線２０１が形成され、小正方体１３の各面には隆線２０１に対応する線形溝１３１が形成されている。上記隆線２０１にはさらに凹部２０２が形成され、線形溝１３１には前記凹部２０２とマッチして接続部品２０の位置を決める突起１３２が形成されている。該実施例の接続部品２０に隆線２０１及び凹部２０２が形成された、隆線２０１は接続部品２０の強度を高めるだけではなく、接続ガイドの機能も有し、さらに、凹部２０２と突起１３２を合わせて接続させることにより、接続部品２０とベースユニット１０を堅固に接続させて、互いに対しスライドする現象が起こらない。
【００３７】
なお、上記各実施例において、接続部品２０の両端にそれぞれ貫通孔が形成され、分解工具と貫通孔を合わせることにより、簡単かつ速やかに積み木を分解することができる。
【００３８】
（実施例三）
図５が示すように、積み木を組み立てるための積み木ユニットは、不完全な正方体ユニット１０と接続部品２０とを含み、該不完全な正方体ユニット１０に切削部１１が形成され、この切削部１１は、正方体ユニットの１つの側面の角の両側辺からその対向する側面の対応する角の側辺へ延伸して切削することにより得られたものである。本実施例の切削部１１は直角三角柱体であり、該直角三角柱体１１は不完全な正方体ユニット１０の互いに垂直な２つの側面の一部を２つの矩形面とし、該直角三角柱体の端面の三角形斜辺は不完全な正方体ユニット１０の一側辺の端点を除く任意の点とその隣接する側辺の端点を除く任意の点との接続線であり、好ましくは、上記直角三角柱体の端面の三角形斜辺は不完全な正方体ユニット１０の一側辺の中点とその隣接する側辺の中点との接続線である。不完全な正方体ユニット１０において切削部１１が形成された対向する２つ面にはそれぞれ２つの接続孔１２が設けあれ、切削部１１が形成された隣接する２つの面にはそれぞれ１つの接続孔１２が設けられ、その他の２つの隣接する面はいずれもその中部にスロット１３が設けられ、該スロットの側面の周縁に４つの接続孔１２が設けられ、接続孔１２の横断面はいずれも長辺がその対応する側辺に平行する長方形である。上記４つの接続孔１２のスロット１３に近い内側壁とスロット１３が繋がって十字形スロットを形成する。上記対向する２つの面の接続孔１２がそれぞれ連通して、各不完全な正方体ユニット１０の６つの側壁における２つの連通した接続孔１２がその他の積み木ユニットと接続することを保証する。上記接続部品２０の一端は連通している２つの接続孔１２に挿入され、他端が不完全な正方体ユニットの側面に露出する。
【００３９】
図６が示すように、４つの同じ積み木ユニットを組み合わせ、４つの接続孔１２を有する側面同士を二対二に貼り合わせるように接続させると、各切削部が側面に位置し、組み合わせた後の複数の多角構造による多面体構造の外観がよりよくなる。また、図７が示すように、この構造の積み木ユニットは、６つの面が全く同じ正方体ユニットと組み合わせることも可能であり、さらに多様な組み合わせが可能となり、児童の多角度から問題を考える思考能力を培い、及び三次元空間の想像力を鍛えるに有利である。
【００４０】
（実施例四）
図８が示すように、積み木を組み立てるための積み木ユニットは、不完全な正方体ユニット１０と接続部品２０とを含み、この不完全な正方体ユニット１０に切削部１１が形成されている。本実施例の切削部１１は切削面１１０を含み、この切削面１１０は弧面であり、この弧面の縁辺の的弧形は不完全な正方体ユニット１０の一側辺の端点を除く任意の点とその隣接する側辺の端点を除く任意の点とによって形成された曲線であり、好ましくは、上記弧面の縁辺の弧形は不完全な正方体ユニットの一側辺の中点とその隣接する側辺の中点によって形成された曲線である。不完全な正方体ユニット１０において、切削部１１が形成された対向する２つの面にそれぞれ２つの接続孔１２が形成され、切削面１１が形成された隣接する２つの面にそれぞれ１つの接続孔１２が形成され、残りの２つの隣接面の中部にそれぞれ１つのスロット１３が形成され、このスロットの側面周縁に４つの接続孔１２が形成され、接続孔１２の横断面はいずれも長辺がその対応する側辺と平行する長方形である。上記４つの接続孔１２のスロット１３に近い内側壁とスロット１３が繋がって十字形スロットを形成する。上記対向する２つの面における接続孔１２がそれぞれ連通して、各不完全な正方体ユニット１０の６つの側壁における２つの連通する接続孔１２がその他の積み木ユニットと接続することを保証する。上記接続部品の一端が連通している２つの接続孔１２の中に挿入され、他端が不完全な正方体ユニットの側面に露出する。
【００４１】
図９が示すように、８つの同じ積み木ユニットを組み合わせ、かつ、各切削部１１をそれぞれ側面に置くと、組み合わせた後の積み木が略円柱体になる。また、図１０が示すように、この構造の積み木ユニットは、６つの面が全く同じ正方体ユニットＡと組み合わせることも可能であり、さらに多様な組み合わせが可能になり、児童の多角度からの問題を考える思考能力を培い、及び三次元空間の想像力を鍛えるに有利である。
【００４２】
上記接続部品２０と接続孔１２との間の接続方法として、隆線とスリットの係合方法を用いることが可能であり、この接続方法は当該分野の慣用技術であるため、ここで省略する。
【００４３】
（実施例五）
図１１と図１２が示すように、積み木を組み立てるための積み木ユニットは、不完全な正方体ユニット１０と接続部品２０を含み、該不完全な正方体ユニット１０に角欠け構造１１が形成されており、この角欠け構造１１は正方体の隣接する３つの側面を切削して形成される。本実施例の角欠け構造１１は、上記隣接する３つの側面の共同頂点１１０と、隣接する３つの側面のうち２つ毎に対応する３つの頂点によって形成される弧面１１１とを含み、この弧面１１１が上記正方体ユニットの一部球形面に内接する。不完全な正方体ユニット１０のその他の３つの側面にいずれも４つの第一接続孔１２が均等に分布され、角欠け構造を有する３つの側面にそれぞれ２つの第二接続孔１３が形成され、第二接続孔１３とのその対向する側面の第一接続孔とが連通し、上記接続部品２０の一端が連通する第一接続孔１２と第二接続孔１３の中に接続され、他端が不完全な正方体ユニット１０の側面に露出する。不完全な正方体ユニット１０の各側面の中部にそれぞれスロット１４が形成され、上記第一接続孔１２及び第二接続孔１３がそれぞれスロット１４の側面に沿って設置され、かつ、第一接続孔１２のスロット１４に近い内側壁とスロット１４が繋がって十字形スロットを形成し、第二接続孔１３のスロット１４に近い内側壁とスロットが繋がってＬ形スロットを形成し、各スロット１４の底面に小正方体１５が形成される。小正方体１５の６つの側壁の中部にそれぞれ十字形隆線１５１が形成され、これに応じて、上記接続部品２０には十字形隆線１５１とマッチする十字形線形２０１が形成されている。
【００４４】
図１３が示すように、８つの同じ積み木ユニットを組み合わせ、かつ各積み木ユニットの角欠け構造をそれぞれ正六面体の８つの頂点に置くと、組み合わせた後の積み木の各角が一定の弧度を有し、外観がよりよくなる。また、図１４が示すように、この構造の積み木ユニットは、６つの面が全く同じ正方体ユニットＡと組み合わせることの可能であり、さらに多様な組み合わせが可能となり、児童の多角度から問題を考える思考能力を培い、及び三次元空間の想像力を鍛えるに有利である。
【００４５】
（実施例六）
図１５と図１６が示すように、積み木を組み立てるための積み木ユニットは、不完全な正方体ユニット１０と接続部品２０とを含み、該正方体ユニット１０の隣接する３つの側面の間に角欠け構造１１が形成されている。本実施例の角欠け構造１１は、上記隣接する３つの側面の共同頂点１１０と、隣接する３つの側面のうち２つ毎に対応する３つの頂点によって形成される三角形斜面１１１とを含む。不完全な正方体ユニット１０のその他の３つの側面のいずれにも４つの第一接続孔１２が均等に配置され、角欠け構造を有する３つの側面にそれぞれ２つの第二接続孔１３が形成され、第二接続孔１３とその対向する側面の第一接続孔とがそれぞれ連通する。上記不完全な正方体ユニット１０における角欠け構造が形成されていないその他の３つの面は、いずれにもその中部にスロット１４が形成され、第一接続孔１２がそれぞれスロット１４の側面に沿って均等に配置され、かつ、第一接続孔１２のスロット１４に近い内側壁とスロット１４とが繋がって十字形スロットを形成する。上記スロット１４の底面に十字形隆線１４１が形成され、これに応じて接続部品２０には十字形隆線１４１とマッチする十字形線形２１が形成される。
【００４６】
図１７が示すように、８つの同じ積み木ユニットを組み合わせ、かつ、各積み木ユニットの角欠け構造をそれぞれ正六面体の８つの頂点に置くと、組み合わせた後の多角構造による多面体構造の外観がよりよくなる。また、図１８が示すように、上記構造の積み木ユニットは、６つの面が全く同じ正方体ユニットと組み合わせることも可能であるため、さらに多様な組み合わせが可能となり、児童の多角度から問題を考える思考能力を培い、及び三次元空間の想像力を鍛えるに有利である。
【００４７】
［産業実用性］
本発明の積み木及び積み木ユニットは簡単に生産できて、良好な産業実用性を有する。
【図１】
2016540620.tif 000003
【図２】
2016540620.tif 000004
【図３】
2016540620.tif 000005
【図４】
2016540620.tif 000006
【図５】
2016540620.tif 000007
【図６】
2016540620.tif 000008
【図７】
2016540620.tif 000009
【図８】
2016540620.tif 000010
【図９】
2016540620.tif 000011
【図１０】
2016540620.tif 000012
【図１１】
2016540620.tif 000013
【図１２】
2016540620.tif 000014
【図１３】
2016540620.tif 000015
【図１４】
2016540620.tif 000016
【図１５】
2016540620.tif 000017
【図１６】
2016540620.tif 000018
【図１７】
2016540620.tif 000019
【図１８】
2016540620.tif 000020
【国際調査報告】
2016540620.tif 000021
2016540620.tif 000022
2016540620.tif 000023
2016540620.tif 000024